(57)【要約】【課題】著作権管理を容易に行えるようにするとともに、ネットワーク接続があるときは高品質なコンテンツの視聴を可能にし、ネットワーク接続が無いときはコンテンツの制限された視聴を可能にする。【解決手段】コンテンツの著作権保護情報と上記コンテンツのプレビューデータが書き込まれた記憶部を有する非接触ＩＣカード１０から、読込要求に応じて、リーダプレイヤー２０により上記コンテンツの著作権保護情報と上記コンテンツのプレビューデータを読み出して記憶部２６に記憶し、再生要求に応じて、上記コンテンツの著作権保護情報をコンテンツサーバ４１に送り、上記コンテンツサーバ４１からコンテンツデータが送られてきたら上記記憶部２６に記憶して、コンテンツデータを再生し、上記コンテンツサーバからコンテンツデータが送られてこない場合には、上記記憶部２６に記憶したコンテンツのプレビューデータを再生する【選択図】        図１
2005025638.tif 000002
【特許請求の範囲】
【請求項１】
コンテンツの著作権保護情報と上記コンテンツのプレビューデータがリーダにより読み取り可能に書き込まれた記憶部を有するコンテンツ格納媒体と、
コンテンツの著作権保護情報に対応するコンテンツデータを提供するコンテンツサーバと、
上記コンテンツ格納媒体の記憶部に書き込まれたデータの再生を行うコンテンツ再生装置とからなり、
上記コンテンツ再生装置は、上記コンテンツ格納媒体から、上記コンテンツの著作権保護情報と上記コンテンツのプレビューデータを読み出す読出手段と、ネットワークを介して上記コンテンツサーバに接続するための通信インターフェースと、上記読出手段により上記コンテンツ格納媒体から読み出したコンテンツの著作権保護情報及び上記コンテンツのプレビューデータ、上記通信インターフェースを介して上記コンテンツサーバから送られてくるコンテンツデータを記憶しておく記憶手段と、上記記憶手段に記憶された上記コンテンツのプレビューデータやコンテンツデータを再生して出力する出力手段と、ユーザの再生要求に応じて、上記記憶手段に記憶された上記コンテンツの著作権保護情報を読み出して上記通信インターフェースを介して上記コンテンツサーバに送り、上記コンテンツサーバからコンテンツデータが送られてきたら上記記憶手段に書き込み、上記記憶手段から上記コンテンツデータを読み出して再生し、上記出力手段から出力させ、上記コンテンツサーバからコンテンツデータが送られてこない場合には、上記記憶手段から上記コンテンツのプレビューデータを読み出して再生し、上記出力手段から出力させる制御を行う制御手段とを備えることを特徴とするコンテンツ視聴システム。
【請求項２】
上記コンテンツ格納媒体は非接触ＩＣカードからなり、
上記コンテンツ再生装置の上記読出手段は、上記コンテンツ格納媒体の記憶部に書き込まれているコンテンツの著作権保護情報と上記コンテンツのプレビューデータを非接触で読み出す非接触カードリーダからなることを特徴とする請求項１記載のコンテンツ視聴システム。
【請求項３】
上記読出手段は、複数の非接触ＩＣカードを重ね読み可能な非接触カードリーダからなることを特徴とする請求項２記載のコンテンツ視聴システム。
【請求項４】
コンテンツの著作権保護情報と上記コンテンツのプレビューデータが書き込まれた記憶部を有するコンテンツ格納媒体から、上記コンテンツの著作権保護情報と上記コンテンツのプレビューデータを読み出す読出手段と、
ネットワークを介してコンテンツサーバに接続するための通信インターフェースと、
上記読出手段により上記コンテンツ格納媒体から読み出したコンテンツの著作権保護情報及び上記コンテンツのプレビューデータ、上記通信インターフェースを介して上記コンテンツサーバから送られてくるコンテンツデータを記憶しておく記憶手段と、
上記記憶手段に記憶された上記コンテンツのプレビューデータやコンテンツデータを再生して出力する出力手段と、
ユーザの再生要求に応じて、上記記憶手段に記憶された上記コンテンツの著作権保護情報を読み出して上記通信インターフェースを介して上記コンテンツサーバに送り、上記コンテンツサーバからコンテンツデータが送られてきたら上記記憶手段に書き込み、上記記憶手段から上記コンテンツデータを読み出して再生し、上記出力手段から出力させ、上記コンテンツサーバからコンテンツデータが送られてこない場合には、上記記憶手段から上記コンテンツのプレビューデータを読み出して再生し、上記出力手段から出力させる制御を行う制御手段と
を備えるコンテンツ再生装置。
【請求項５】
上記コンテンツ格納媒体は非接触ＩＣカードからなり、
上記読出手段は、上記コンテンツ格納媒体の記憶部に書き込まれているコンテンツの著作権保護情報と上記コンテンツのプレビューデータを非接触で読み出す非接触カードリーダからなることを特徴とする請求項４記載のコンテンツ再生装置。
【請求項６】
上記読出手段は、複数の非接触ＩＣカードを重ね読み可能な非接触カードリーダからなることを特徴とする請求項５記載のコンテンツ再生装置。
【請求項７】
コンテンツの著作権保護情報と上記コンテンツのプレビューデータが書き込まれた記憶部を有するコンテンツ格納媒体から、読込要求に応じて、上記コンテンツの著作権保護情報と上記コンテンツのプレビューデータを読み出して記憶し、再生要求に応じて、
上記コンテンツの著作権保護情報をコンテンツサーバに送り、上記コンテンツサーバからコンテンツデータが送られてきたら記憶して、コンテンツデータを再生し、上記コンテンツサーバからコンテンツデータが送られてこない場合には、上記記憶したコンテンツのプレビューデータを再生する
ことを特徴とするコンテンツ再生方法。
【請求項８】
コンテンツの著作権保護情報と上記コンテンツのプレビューデータが書き込まれた記憶部を有するコンテンツ格納媒体から、上記コンテンツの著作権保護情報と上記コンテンツのプレビューデータを読み出す読出手段と、ネットワークを介してコンテンツサーバに接続するための通信インターフェースと、上記読出手段により上記コンテンツ格納媒体から読み出したコンテンツの著作権保護情報及び上記コンテンツのプレビューデータ、上記通信インターフェースを介して上記コンテンツサーバから送られてくるコンテンツデータを記憶しておく記憶手段と、上記記憶手段に記憶された上記コンテンツのプレビューデータやコンテンツデータを再生して出力する出力手段と、ユーザの再生要求に応じて、上記記憶手段に記憶された上記コンテンツの著作権保護情報を読み出して上記通信インターフェースを介して上記コンテンツサーバに送り、上記コンテンツサーバからコンテンツデータが送られてきたら上記記憶手段に書き込み、上記記憶手段から上記コンテンツデータを読み出して再生し、上記出力手段から出力させ、上記コンテンツサーバからコンテンツデータが送られてこない場合には、上記記憶手段から上記コンテンツのプレビューデータを読み出して再生し、上記出力手段から出力させる制御を行う制御手段とを備えるコンテンツ再生装置に対して、コンテンツデータを提供するコンテンツ提供システムであって、
コンテンツの著作権保護情報をネットワークを介して上記コンテンツサーバに登録する登録端末装置と、
上記コンテンツサーバからコンテンツデータをコンテンツ再生装置に提供する際に課金処理を行う課金サーバとを備え、
コンテンツの著作権保護情報を上記コンテンツサーバに登録しておき、上記コンテンツサーバに登録されたコンテンツの著作権保護情報と上記コンテンツのプレビューデータが書き込まれた記憶部を有するコンテンツ格納媒体を提供し、読込要求に応じて、上記コンテンツ再生装置により上記コンテンツ格納媒体からコンテンツの著作権保護情報を読み出して記憶し、再生要求に応じて、上記コンテンツの著作権保護情報をネットワークを介して上記コンテンツサーバに送り、上記コンテンツの著作権保護情報に対応するコンテンツデータを上記コンテンツサーバから上記コンテンツ再生装置に提供するとともに、提供したコンテンツデータに対する課金処理を上記課金サーバにより行い、上記コンテンツサーバから上記コンテンツの著作権保護情報に対応するコンテンツデータが送られない場合には、上記コンテンツ再生装置により上記記憶した上記コンテンツのプレビューデータを再生することを特徴とするコンテンツ提供システム。
【請求項９】
上記コンテンツ格納媒体は非接触ＩＣカードからなり、
上記コンテンツ再生装置の上記読出手段は、上記コンテンツ格納媒体の記憶部に書き込まれているコンテンツの著作権保護情報と上記コンテンツのプレビューデータを非接触で読み出す非接触カードリーダからなることを特徴とする請求項８記載のコンテンツ提供システム。
【請求項１０】
上記読出手段は、複数の非接触ＩＣカードを重ね読み可能な非接触カードリーダからなることを特徴とする請求項９記載のコンテンツ提供システム。
【請求項１１】
コンテンツの著作権保護情報をコンテンツサーバに登録しておき、
上記コンテンツサーバに登録されたコンテンツの著作権保護情報と上記コンテンツのプレビューデータが書き込まれた記憶部を有するコンテンツ格納媒体を提供し、
読込要求に応じて、コンテンツ再生装置により上記コンテンツ格納媒体からコンテンツの著作権保護情報を読み出して記憶し、
再生要求に応じて、上記コンテンツの著作権保護情報をネットワークを介して上記コンテンツサーバに送り、
上記コンテンツの著作権保護情報に対応するコンテンツデータを上記コンテンツサーバから上記コンテンツ再生装置に提供するとともに、提供したコンテンツデータに対する課金処理を行い、
上記コンテンツサーバから上記コンテンツの著作権保護情報に対応するコンテンツデータが送られない場合には、上記記憶した上記コンテンツのプレビューデータを再生する
ことを特徴とするコンテンツ提供方法。
【請求項１２】
コンテンツの著作権保護情報と上記コンテンツのプレビューデータがリーダにより読み取り可能に書き込まれた記憶部を有するコンテンツ格納媒体。
【請求項１３】
非接触ＩＣカードからなることを特徴とする請求項１２記載のコンテンツ格納媒体。
【発明の詳細な説明】
【０００１】
【発明の属する技術分野】
本発明は、コンテンツ視聴システム、コンテンツ再生装置及び再生方法、コンテンツ提供システム及び提供方法並びにコンテンツ格納媒体に関する。
【０００２】
【従来の技術】
近年、記録技術や信号処理技術の進歩により、音楽や映画等のコンテンツデータをＣＤ−ＲＯＭ、フラッシュメモリ等の各種デジタルメディアに保存したり、インターネットを介して、ユーザが、自分自身が保持している音楽データを他のユーザに提供し、自分自身が保持していないコンテンツデータを他のユーザから提供を受けるようにして、複数のユーザが無料でコンテンツデータを交換しあうシステムが実現されている。
【０００３】
このようなシステムでは、理論的には、１つの音楽、その他のコンテンツが存在すれば、他の全てのユーザが、それを利用することが可能となり、多くのユーザがコンテンツを購入しなくなるため、コンテンツに関する著作権者は、著作物としてのコンテンツが売れないため、著作物の販売に伴い、本来受け取ることが可能な著作物の利用に関するロイヤリティを受け取る機会を失うことになる。
【０００４】
そこで、本件出願人は、コンテンツの流通を妨げることなく、不正に利用されることを防止するために、デジタルメディアに保存されたコンテンツＩＤや認証鍵を、インターネット上のライセンスサーバに問い合わせて認証した後、コンテンツサーバからコンテンツ（音楽、映画等）をネットワーク越しにストリーミング視聴させたり、或いは、デジタルメディアにあるコンテンツのロックを解除することによりコンテンツを視聴させるという著作権管理方法を先に提供している（例えば、特許文献１参照）。
【０００５】
【特許文献１】
特開２００２−３５９６１６号公報
【０００６】
【発明が解決しようとする課題】
ところで、上述の如き従来の著作権管理方法では、コンテンツデータがデジタルメディアに保存されている場合であっても、或いは、ネットワーク越しにストリーミング視聴する場合であっても、クライアントがインターネットに接続していなければならないという問題があった。また、ＣＤ−ＲＯＭやフラッシュメモリといったデジタルメディアは、１枚ずつプレイヤー（リーダ）に挿入しなければならず、複数のメディアに保持されているコンテンツＩＤや認証鍵の登録を連続的に行えないという問題があった。
【０００７】
そこで、本発明の目的は、著作権管理を容易に行えるようにするとともに、ネットワーク接続があるときは高品質なコンテンツの視聴を可能にし、ネットワーク接続が無いときはコンテンツの制限された視聴を可能にしたコンテンツ視聴システム、コンテンツ再生装置及び再生方法、コンテンツ提供システム及び提供方法並びにコンテンツ格納媒体を提供することにある。
【０００８】
また、本発明の他の目的は、複数のメディアに保持されているコンテンツＩＤや認証鍵の同時登録を可能にしたコンテンツ視聴システム、コンテンツ再生装置及び再生方法、コンテンツ提供装置及び提供方法並びにコンテンツ格納媒体を提供することにある。
【０００９】
【課題を解決するための手段】
本発明に係るコンテンツ視聴システムは、コンテンツの著作権保護情報と上記コンテンツのプレビューデータがリーダにより読み取り可能に書き込まれた記憶部を有するコンテンツ格納媒体と、コンテンツの著作権保護情報に対応するコンテンツデータを提供するコンテンツサーバと、  上記コンテンツ格納媒体の記憶部に書き込まれたデータの再生を行うコンテンツ再生装置とからなり、上記コンテンツ再生装置は、上記コンテンツ格納媒体から、上記コンテンツの著作権保護情報と上記コンテンツのプレビューデータを読み出す読出手段と、ネットワークを介して上記コンテンツサーバに接続するための通信インターフェースと、上記読出手段により上記コンテンツ格納媒体から読み出したコンテンツの著作権保護情報及び上記コンテンツのプレビューデータ、上記通信インターフェースを介して上記コンテンツサーバから送られてくるコンテンツデータを記憶しておく記憶手段と、上記記憶手段に記憶された上記コンテンツのプレビューデータやコンテンツデータを再生して出力する出力手段と、ユーザの再生要求に応じて、上記記憶手段に記憶された上記コンテンツの著作権保護情報を読み出して上記通信インターフェースを介して上記コンテンツサーバに送り、上記コンテンツサーバからコンテンツデータが送られてきたら上記記憶手段に書き込み、上記記憶手段から上記コンテンツデータを読み出して再生し、上記出力手段から出力させ、上記コンテンツサーバからコンテンツデータが送られてこない場合には、上記記憶手段から上記コンテンツのプレビューデータを読み出して再生し、上記出力手段から出力させる制御を行う制御手段とを備えることを特徴とする。
【００１０】
また、本発明に係るコンテンツ再生装置は、コンテンツの著作権保護情報と上記コンテンツのプレビューデータが書き込まれた記憶部を有するコンテンツ格納媒体から、上記コンテンツの著作権保護情報と上記コンテンツのプレビューデータを読み出す読出手段と、ネットワークを介してコンテンツサーバに接続するための通信インターフェースと、上記読出手段により上記コンテンツ格納媒体から読み出したコンテンツの著作権保護情報及び上記コンテンツのプレビューデータ、上記ネットワークを介して上記コンテンツサーバから送られてくるコンテンツデータを記憶しておく記憶手段と、上記記憶手段に記憶された上記コンテンツのプレビューデータやコンテンツデータを再生して出力する出力手段と、ユーザの再生要求に応じて、上記記憶手段に記憶された上記コンテンツの著作権保護情報を読み出して上記通信インターフェースを介して上記コンテンツサーバに送り、上記コンテンツサーバからコンテンツデータが送られてきたら上記記憶手段に書き込み、上記記憶手段から上記コンテンツデータを読み出して再生し、上記出力手段から出力させ、上記コンテンツサーバからコンテンツデータが送られてこない場合には、上記記憶手段から上記コンテンツのプレビューデータを読み出して再生し、上記出力手段から出力させる制御を行う制御手段とを備えることを特徴とする。
【００１１】
また、本発明に係るコンテンツ再生方法は、コンテンツの著作権保護情報と上記コンテンツのプレビューデータが書き込まれた記憶部を有するコンテンツ格納媒体から、読込要求に応じて、上記コンテンツの著作権保護情報と上記コンテンツのプレビューデータを読み出して記憶し、再生要求に応じて、上記コンテンツの著作権保護情報をコンテンツサーバに送り、上記コンテンツサーバからコンテンツデータが送られてきたら記憶して、コンテンツデータを再生し、上記コンテンツサーバからコンテンツデータが送られてこない場合には、上記記憶したコンテンツのプレビューデータを再生することを特徴とする。
【００１２】
また、本発明に係るコンテンツ提供システムは、コンテンツの著作権保護情報と上記コンテンツのプレビューデータが書き込まれた記憶部を有するコンテンツ格納媒体から、上記コンテンツの著作権保護情報と上記コンテンツのプレビューデータを読み出す読出手段と、ネットワークを介してコンテンツサーバに接続するための通信インターフェースと、上記読出手段により上記コンテンツ格納媒体から読み出したコンテンツの著作権保護情報及び上記コンテンツのプレビューデータ、上記ネットワークを介して上記コンテンツサーバから送られてくるコンテンツデータを記憶しておく記憶手段と、上記記憶手段に記憶された上記コンテンツのプレビューデータやコンテンツデータを再生して出力する出力手段と、ユーザの再生要求に応じて、上記記憶手段から読み出した上記コンテンツの著作権保護情報を読み出して上記通信インターフェースを介して上記コンテンツサーバに送り、上記コンテンツサーバからコンテンツデータが送られてきたら上記記憶手段に書き込み、上記記憶手段から上記コンテンツデータを読み出して再生し、上記出力手段から出力させ、上記コンテンツサーバからコンテンツデータが送られてこない場合には、上記記憶手段から上記コンテンツのプレビューデータを読み出して再生し、上記出力手段から出力させる制御を行う制御手段とを備えるコンテンツ再生装置に対して、コンテンツデータを提供するコンテンツ提供システムであって、コンテンツの著作権保護情報をネットワークを介して上記コンテンツサーバに登録する登録端末装置と、上記コンテンツサーバからコンテンツデータをコンテンツ再生装置に提供する際に課金処理を行う課金サーバとを備え、コンテンツの著作権保護情報を上記コンテンツサーバに登録しておき、上記コンテンツサーバに登録されたコンテンツの著作権保護情報と上記コンテンツのプレビューデータが書き込まれた記憶部を有するコンテンツ格納媒体を提供し、読込要求に応じて、上記コンテンツ再生装置により上記コンテンツ格納媒体からコンテンツの著作権保護情報を読み出して記憶し、再生要求に応じて、上記コンテンツの著作権保護情報をネットワークを介して上記コンテンツサーバに送り、上記コンテンツの著作権保護情報に対応するコンテンツデータを上記コンテンツサーバから上記コンテンツ再生装置に提供するとともに、提供したコンテンツデータに対する課金処理を上記課金サーバにより行い、上記コンテンツサーバから上記コンテンツの著作権保護情報に対応するコンテンツデータが送られない場合には、上記コンテンツ再生装置により上記記憶した上記コンテンツのプレビューデータを再生することを特徴とする。
【００１３】
また、本発明に係るコンテンツ提供方法は、コンテンツの著作権保護情報をコンテンツサーバに登録しておき、上記コンテンツサーバに登録されたコンテンツの著作権保護情報と上記コンテンツのプレビューデータが書き込まれた記憶部を有するコンテンツ格納媒体を提供し、読込要求に応じて、コンテンツ再生装置により上記コンテンツ格納媒体からコンテンツの著作権保護情報を読み出して記憶し、再生要求に応じて、上記コンテンツの著作権保護情報をネットワークを介して上記コンテンツサーバに送り、上記コンテンツの著作権保護情報に対応するコンテンツデータを上記コンテンツサーバから上記コンテンツ再生装置に提供するとともに、提供したコンテンツデータに対する課金処理を行い、上記コンテンツサーバから上記コンテンツの著作権保護情報に対応するコンテンツデータが送られない場合には、上記記憶した上記コンテンツのプレビューデータを再生することを特徴とする。
【００１４】
さらに、本発明に係るコンテンツ格納媒体は、コンテンツの著作権保護情報と上記コンテンツのプレビューデータがリーダにより読み取り可能に書き込まれた記憶部を有することを特徴とする。
【００１５】
【発明の実施の形態】
以下、本発明の実施の形態について図面を参照して詳細に説明する。
【００１６】
本発明は、例えば図１に示すような構成のコンテンツ視聴システム１００に適用される。
【００１７】
このコンテンツ視聴システム１００は、コンテンツ格納媒体である非接触ＩＣカード１０、コンテンツ再生装置であるリーダプレイヤー２０、コンテンツ提供装置であるサーバ４０からなり、上記リーダプレイヤー２０がインターネット等のネットワーク３０を介してサーバ４０に接続されるようになっている。
【００１８】
この図１には、ネットワーク３０を介してサーバ４０に接続されるリーダプレイヤー２０が１台だけ示されているが、コンテンツ視聴システム１００では、複数台のリーダプレイヤー２０がネットワーク３０を介してサーバ４０に接続される。
【００１９】
非接触ＩＣカード１０は、リーダプレイヤー２０に備えられている非接触カードリーダ２５と図示しない近距離通信用アンテナを介して通信を行う無線通信部１１、コンテンツデータを保持しておく記憶部１２、これらを制御する制御部１３などからなる。
【００２０】
この非接触ＩＣカード１０の記憶部１２には、認証鍵として例えばユーザＩＤとパスワードが、当該非接触ＩＣカード１０の購入時に上記記憶部１２に書き込まれる。また、上記記憶部１２には、例えば、予め特定のプレビューデータがコンテンツＩＤとともに書き込まれていたり、あるいは、ユーザが任意に選択したプレビューデータがコンテンツＩＤとともに販売店において書き込まれる。なお、上記記憶部１２には、複数のプレビューデータをコンテンツＩＤとともに書き込んでおくことができる。
【００２１】
すなわち、上記非接触ＩＣカード１０の記憶部１２は、コンテンツの著作権保護情報として世界に一つのユニークなコンテンツＩＤや認証鍵等を保持するとともに、部分的なコンテンツデータ（以下、プレビューデータと呼ぶ）を保持する。コンテンツＩＤは、あるコンテンツ（音楽、映画等）と結び付けられた識別番号のようなものである。
【００２２】
リーダプレイヤー２０は、中央演算処理装置２１、通信インターフェース２２、文字・画像出力装置２３、音声出力装置２４、非接触カードリーダ２５、記憶部２６、入力装置２７からなる。このリーダプレイヤー２０の記憶部２６は、ユーザＩＤ、パスワード、コンテンツＩＤ、プレビューデータを保存する記憶空間である。
【００２３】
リーダプレイヤー２０は、通信インターフェース２２でネットワーク３０に接続し、ネットワーク３０を介してサーバ４０と通信を行う。
【００２４】
サーバ４０は、コンテンツサーバ４１、認証サーバ４２と課金サーバ４３を備える。コンテンツサーバ４１は、図２に示すように、タイトルデータベース４１ＡとコンテンツＩＤデータベース４１Ｂからなる。
【００２５】
ここで、コンテンツＩＤは、例えば次のように割り振られている。
【００２６】
すなわち、コンテンツＩＤは、あるタイトル（音楽１曲、映画１本）に対して割り振られるビット列で、二つの部分からなる。タイトルナンバー部分とシリアルナンバー部分である。タイトルナンバーは、ある１つのタイトルに対してユニークなビット列である。したがって、音楽である場合、同じ曲であれば同じタイトルナンバーを持っている。他方、シリアルナンバーは、おのおののＩＣカードに固有のビット列である。この二つのナンバーをつなげたビット列がコンテンツＩＤである。したがって、あるアーティストのアルバムＣＤに相当するＩＣカードは、含まれるタイトルの数だけコンテンツＩＤを保持することになる。また、ある１枚の非接触ＩＣカードで複数のコンテンツＩＤを保持する場合、すべてのコンテンツＩＤのシリアルナンバーは同じビット列になる。同じタイトルＡを保持する２つの非接触ＩＣカードＸと非接触ＩＣカードＹがある場合、非接触ＩＣカードＸ上のＡに対するコンテンツＩＤと非接触ＩＣカードＹ上のタイトルＡに対するコンテンツＩＤを比べると、タイトルナンバーは同じビット列だが、シリアルナンバーが異なるビット列となる。以下の説明では、このコンテンツＩＤの割り振り方を適用したと仮定する。
【００２７】
また、上記認証サーバ４２及び課金サーバ４３には、販売店において、非接触ＩＣカード１０を販売した際に、購入者により申請されるユーザＩＤやパスワードなど課金処理に必要な情報が販売店の登録端末装置５０からサーバ４０に送られることにより、非接触ＩＣカード１０のユーザ登録が行われる。販売店の登録端末装置５０は、上記リーダプレイヤー２０と同様な構成のものを用いることができる。
【００２８】
このコンテンツ視聴システム１００では、図３のフローチャートに示す手順（第１ステップＳ１〜第３ステップＳ３）に従ってコンテンツ再生動作を行う。
【００２９】
第１ステップＳ１は、カードデータ読み込み処理である。
第２ステップＳ２は、コンテンツＩＤの認証処理である。
第３ステップＳ３は、コンテンツの再生処理である。
【００３０】
第１ステップＳ１では、非接触ＩＣカード１０をリーダプレイヤー２０の非接触カードリーダ２５に近づける（読込要求）ことにより、非接触ＩＣカード１０の無線通信部１１と非接触カードリーダ２５の間で通信が行われ、非接触ＩＣカード１０の記憶部１２に保持されているコンテンツＩＤデータなどの著作権保護情報及びプレビューデータがリーダプレイヤー２０の記憶部２６に登録される。複数のＩＣ同時読み取り技術、例えば、豪州マゼランテクノロジー社、日本信号株式会社のＦｒｅｑｕｅｎｃｙ  Ｈｏｐｐｉｎｇ技術など（ＲＦＩＤ  −  ｈｔｔｐ：／／ｗｗｗ．ｎｓ−ｒｆｉｄ．ｃｏｍ／ｓｏｌｕｔｉｏｎ．ｈｔｍｌとして製品化されている。）を利用することにより、複数の非接触ＩＣカード１０を重ねるなどして同時に非接触カードリーダ２５に読み取らせてデータをリーダプレイヤー２０の記憶部２６に登録させることができる。
【００３１】
第２ステップＳ２では、図４のフローチャートに示す手順（ステップＳ２０〜ステップＳ２４）にしたがって、コンテンツＩＤの認証を行う。
【００３２】
すなわち、リーダプレイヤー２０の入力装置２７から再生要求が入力される（ステップＳ２０）。再生要求では、リーダプレイヤー２０の記憶部２６に保持されたコンテンツＩＤのうち一つを特定する必要がある。中央演算処理装置２１は、再生要求を受けると、リーダプレイヤー２０がネットワーク３０を介してサーバ４０に接続されているか否かを判定する（ステップＳ２１）。
【００３３】
このステップＳ２１における判定結果が「Ｙｅｓ」すなわちリーダプレイヤー２０とサーバ４０がネットワーク３０で接続されている場合は、再生要求を受けているコンテンツのコンテンツＩＤをサーバ４０に送信し、認証要求を出す（ステップＳ２２）。
【００３４】
また、上記ステップＳ２１における判定結果が「Ｎｏ」すなわちネットワーク接続が存在しない場合は、リーダプレイヤー２０をネットワーク３０を介してサーバ４０に接続し、ネットワーク接続が成功したか否かを判定する（ステップＳ２３）。
【００３５】
そして、上記ステップＳ２３における判定結果が「Ｙｅｓ」すなわちサーバ４０との接続が成功した場合は、上記ステップＳ２２に移って、再生要求を受けているコンテンツのコンテンツＩＤを認証鍵とともにサーバ４０に送信し、認証要求を出す。
【００３６】
サーバ４０の認証サーバ４２は、認証鍵を用いてユーザの認証処理を行い、正規ユーザからの認証要求のあったコンテンツＩＤが有効か無効かを判別する。これは、コンテンツサーバ４１内のコンテンツＩＤデータベース４１Ａに保持されているコンテンツＩＤと照合することにより行う。コンテンツＩＤデータベースへの登録手順については後述する。認証サーバ４２は、照合した結果をリーダプレイヤー２０に伝える（ステップＳ２４）。
【００３７】
第３ステップＳ３では、図４のフローチャートに示す手順（ステップＳ２５〜ステップＳ２８）にしたがって、コンテンツの再生を行う。
【００３８】
すなわち、コンテンツサーバ４１は、上記ステップＳ２４における照合結果が「ＹＥＳ」すなわちリーダプレイヤー２０から送信されたコンテンツＩＤが有効である場合、そのＩＤ（タイトルナンバー）の指示すコンテンツをリーダプレイヤー２０にストリーミング配信するとともに、配信したコンテンツについて課金サーバ４３により課金処理を行う（ステップＳ２５）。そして、リーダプレイヤー２０は、送られてくるコンテンツデータを再生し、音声出力装置２４や文字・画像出力装置２３から出力して（ステップＳ２６）、再生処理を終了する。
【００３９】
また、上記ステップＳ２３における判定結果が「Ｎｏ」すなわちサーバ４０との接続が失敗した場合、及び、上記ステップＳ２５における判定結果が「Ｎｏ」すなわちコンテンツサーバ４１にてコンテンツＩＤが無効と判定された場合、リーダプレイヤー２０は記憶部２６に保存してあるプレビューデータを再生し、音声出力装置２４や文字・画像出力装置２３から出力して（ステップＳ２８）、再生処理を終了する。
【００４０】
ここで、プレビューデータについて説明する。プレビューデータとは、コンテンツサーバ４１から配信されるコンテンツ（例えば、符号化形式：ＭＰＥＧ４、ビットレート：１０Ｍｂｐｓの映画）よりも低品質（例えば、符号化形式：ＭＰＥＧ４、ビットレート：８０ｋｂｐｓ、ファイルサイズ：３００Ｋｂｙｔｅまで）なコンテンツのデータである。ＭＰＥＧ４などの圧縮方法を利用することにより、ファイルサイズを小さくし、非接触ＩＣカード１０に保持することも可能になる。
【００４１】
さらに、コンテンツサーバ４１について詳しく説明する。前述のとおり、コンテンツサーバ４１はタイトルデータベース４１ＡとコンテンツＩＤデータベース４１Ｂを保持している。タイトルデータベース４１Ａは、このコンテンツ視聴システム１００で視聴可能な発売済みのすべての音楽や映画のデジタルデータを保持しているデータベースで、タイトルナンバー（コンテンツＩＤの一部）をキーとしてタイトル（音楽なら１曲）にアクセスできるものである。コンテンツＩＤデータベース４１Ｂは、正規購入済みのコンテンツＩＤを保持するデータベースである。コンテンツＩＤデータベース４１ＢへのコンテンツＩＤの登録は、リーダプレイヤー２０と同様のハードウエア構成のもので、ソフトウエアの異なる登録端末装置５０で行う。
【００４２】
登録端末装置５０によるコンテンツＩＤデータベース４１ＢへのコンテンツＩＤの登録動作は、図５のフローチャートに示す手順（ステップＳ３０〜ステップＳ３７）にしたがって行われる。
【００４３】
この作業は、例えば非接触ＩＣカード１０の購入時にレコード店などで行われることを想定している。なお、この作業ではリーダプレイヤー２０と同様のハードウエア構成の登録端末装置５０を使用する。登録端末装置５０は、非接触カードリーダから非接触ＩＣカード１０のコンテンツＩＤを読み込んで記憶部に保持する。
【００４４】
そして、登録端末装置５０の中央演算処理装置は、入力装置から登録要求があると（ステップＳ３０）、コンテンツＩＤをコンテンツサーバ４１に送信し、登録要求をする（ステップＳ３１）。コンテンツサーバ４１は、受け取ったコンテンツＩＤのタイトルナンバーに対応するタイトル（１曲、映画）がタイトルデータベース４１Ｂにあるか否かを確認して（ステップＳ３２）、タイトルがあった場合、コンテンツＩＤをコンテンツＩＤデータベース４１Ｂに登録し（Ｓ３３）、登録が成功した旨を登録端末装置５０へ通知する（ステップＳ３４）。そして、登録端末装置５０は登録が成功した旨を出力装置から表示して（ステップＳ３５）、登録要求について処理を終了する。
【００４５】
また、タイトルが無かった場合、コンテンツサーバ４１は登録に失敗した旨を登録端末装置５０に通知する（ステップＳ３６）。そして、登録端末装置５０は登録に失敗した旨を出力装置から表示して（ステップＳ３７）、登録要求について処理を終了する。
【００４６】
このコンテンツ視聴システム１００は、ネットワーク３０を介してサーバ４０に接続される登録端末装置６０により、正規購入済みのコンテンツＩＤをコンテンツＩＤデータベース４１Ｂに登録することによって、コンテンツの正規購入者によるコンテンツの再生要求に対応してコンテンツサーバ４１からコンテンツをリーダプレイヤー２０にストリーミング配信するとともに、配信したコンテンツについて課金サーバ４３により課金処理を行うコンテンツ供給システムとして機能する。
【００４７】
このコンテンツ視聴システム１００では、非接触ＩＣカード１０を使ってコンテンツ（音楽、映画）の利用回数をカウントしたり、コンテンツサーバ４１側で視聴可能期限（回数）を設定することなどの著作権管理を容易に行うことができる。また、非接触ＩＣカード１０の複数同時読み取り技術を使用することにより、複数のメディアのコンテンツＩＤ、プレビューデータを同時に登録することができる。また、リーダプレイヤー２０がサーバ４０と接続できないときでも、鍵認証無しで、プレビューを楽しむことができる。プレビューは通常のコンテンツと比較するとデータサイズを小さいため、容積の問題から記憶領域を多く持てず、短時間でのデータ転送を要求される非接触ＩＣカード１０でも問題なく使用できる。ネットワーク接続があるときは高品質なサービスを提供し、ネットワーク接続が無いときは低品質なプレビューを提供するという新しい商品を生み出すことができる。この商品ビジネスは、単品売り切りのビジネスではなく、ユーザが積極的にネットワーク３０に接続するようになるため、ネットワーク３０を絡めた新しいサービスを容易に浸透させることができるようになる。
【００４８】
また、コンテンツＩＤデータベース４１ＢにユーザＩＤも登録をさせることにより、カード紛失時などに身分証明書などでユーザを特定できれば、カードの再発行・コンテンツＩＤのコンテンツＩＤサーバへの再登録（古いコンテンツＩＤの削除）を安全にすることができる。この方法では、ユーザの利便性をさらに向上し、カードの不正利用などを防ぐこともできる。
【００４９】
また、複数カード同時読み取りの際に、リーダプレイヤー２０に備えられている非接触カードリーダ２５から非接触ＩＣカード１０までの距離を読み取ることによって、非接触ＩＣカード１０の重なりの順序をそのまま再生順序とすることができる。非接触ＩＣカード１０を使用することにより、このような直感的な操作方法を実現ができる。
【００５０】
すなわち、このコンテンツ視聴システム１００では、著作権管理のためのコンテンツＩＤや認証鍵を保存するためのデジタルメディアとして非接触ＩＣカード１０を採用することにより、複数のメディアから認証鍵をリーダプレイヤー２０に同時に登録することを可能とした。また、デジタルメディアである非接触ＩＣカード１０に、プレビューデータとして低品質、或いは部分的なコンテンツデータを保持させ、認証鍵をリーダプレイヤー２０に登録する際に同時に読み出し保存し、コンテンツの再生要求がされたときリーダプレイヤー２０がネットワーク３０に接続できない場合はこれを再生するようにした。
【００５１】
なお、本発明の実施の形態として、無線通信部１１を備える非接触ＩＣカード１０を用いて構成したコンテンツ視聴システム１００について説明したが、本発明は、コネクタを介してデータの書き込み／読み出しが行われるメモリカードなど他のコンテンツ格納媒体を用いて構成されるコンテンツ視聴システムに適用することもできる。
【００５２】
【発明の効果】
以上のように、本発明によれば、コンテンツの著作権保護情報と上記コンテンツのプレビューデータが書き込まれた記憶部を有するコンテンツ格納媒体から、読込要求に応じて、上記コンテンツの著作権保護情報と上記コンテンツのプレビューデータを読み出して記憶し、再生要求に応じて、上記コンテンツの著作権保護情報をコンテンツサーバに送り、上記コンテンツサーバからコンテンツデータが送られてきたら記憶して、コンテンツデータを再生し、上記コンテンツサーバからコンテンツデータが送られてこない場合には、上記記憶したコンテンツのプレビューデータを再生することによって、プレイヤーがサーバと接続できないときでも、鍵認証無しで、プレビューを楽しむことができる。プレビューは通常のコンテンツと比較するとデータサイズを小さいため、容積の問題から記憶領域を多く持てず、短時間でのデータ転送を要求される非接触ＩＣカードでも問題なく使用できる。ネットワーク接続があるときは高品質なサービスを提供し、ネットワーク接続が無いときは低品質なプレビューを提供するという新しい商品を生み出すことができる。この商品ビジネスは、単品売り切りのビジネスではなく、ユーザが積極的にネットワークに接続するようになるため、ネットワークを絡めた新しいサービスを容易に浸透させることができるようになる。
【００５３】
非接触ＩＣカードを使ってコンテンツ（音楽、映画）の利用回数をカウントすることや、コンテンツサーバ側で視聴可能期限（回数）を設定することなどの著作権管理を容易に行うことができる。また、非接触ＩＣカードの複数同時読み取り技術を使用することにより、複数のメディアのコンテンツの著作権保護情報とプレビューデータを同時に登録することができる。
【図面の簡単な説明】
【図１】本発明を適用したコンテンツ視聴システムの構成を示すブロック図である。
【図２】上記コンテンツ視聴システムにおけるサーバに備えられるコンテンツサーバの構成を模式的に示す図である。
【図３】上記コンテンツ視聴システムにおけるコンテンツ再生動作の手順を示すフローチャートである。
【図４】上記コンテンツ再生動作におけるコンテンツＩＤの認証およびコンテンツの再生の具体的な手順を示すフローチャートである。
【図５】登録端末装置によるコンテンツＩＤデータベースへのコンテンツＩＤの登録動作の手順を示すフローチャートである。
【符号の説明】
１０  非接触ＩＣカード、１１  通信部、１２  記憶部、１３  制御部、２０リーダプレイヤー、２１  中央演算処理装置、２２  通信インターフェース、２３  文字・画像出力装置、２４  音声出力装置、２５  非接触カードリーダ、２６  記憶部、２７  入力装置、３０  ネットワーク、４０  サーバ、４１  コンテンツサーバ、４２  認証サーバ、４３  課金サーバ、４１Ａ  タイトルデータベース、４１Ｂ  コンテンツＩＤデータベース、５０  登録端末装置、１００コンテンツ視聴システム
【図１】
2005025638.tif 000003
【図２】
2005025638.tif 000004
【図３】
2005025638.tif 000005
【図４】
2005025638.tif 000006
【図５】
2005025638.tif 000007